(57)【要約】【課題】長尺ヘッドに於いてもクリーニング機構の占有面積が少なく、且つ、キャップ機構も効果的に作用することができるインクジェット記録装置を提供することである。【解決手段】インクジェットヘッドのノズル形成面上を払拭するメンテナンス装置に於いて、クリーニング機構２０のブレード２１の先端でもって、ノズルプレート１２のノズル形成面に当接し、該ノズル形成面上が払拭される。ブレード２１は保持部に保持されて、ノズル形成面に沿って移動される。そして、その一端が前記ブレード２１と一体的に形成され、他端がキャップ固定部２３に固定され、ブレード２１の厚さよりも薄い可撓性を有したキャップ２２によって、ノズル形成面全体が覆われる。【選択図】      図１
2010260259.tif 000002
【特許請求の範囲】
【請求項１】
インクジェットヘッドのノズル形成面上を払拭するメンテナンス装置に於いて、
その先端でもってノズル形成面に当接し、該ノズル形成面に沿って移動してノズル形成面上を払拭するブレード部と、
その一端が前記ブレード部と一体的に形成され、他端が固定部に固定され、前記ブレード部の厚さよりも薄い可撓性を有し、前記ノズル形成面全体を覆う膜状部と、
を具備することを特徴とするメンテナンス装置。
【請求項２】
前記膜状部は、前記ブレード部がノズル形成面に当接している間は、ノズル形成面に当接しないことを特徴とする請求項１に記載のメンテナンス装置。
【請求項３】
前記膜状部は、前記ブレード部によってノズル形成面を払拭している間は、ノズル形成面に当接しないことを特徴とする請求項１に記載のメンテナンス装置。
【請求項４】
前記ブレード部がノズル形成面の一端から他端に向かって移動しながらノズル形成面を払拭し、前記ノズル形成面の他端を越えて該ノズル形成面から離間した後、前記膜状部がノズル形成面全体を覆うことを特徴とする請求項１に記載のメンテナンス装置。
【請求項５】
前記膜状部に張力を与える張力付与手段を更に具備することを特徴とする請求項４に記載のメンテナンス装置。
【請求項６】
前記張力付与手段は、前記膜状部がノズル形成面全体を覆った状態で、前記保持台をインクジェットヘッド側に向けて移動させることで、前記膜状部をノズル形成面に押圧することを特徴とする請求項５に記載のメンテナンス装置。
【請求項７】
前記張力付与手段は、前記膜状部がノズル形成面全体を覆った状態で、前記膜状部の背面側から押圧することで、前記膜上部をノズル形成面に押圧することを特徴とする請求項５に記載のメンテナンス装置。
【請求項８】
前記張力付与手段は、前記ブレード部に於けるノズル形成面の一端から他端に向かう移動方向に対して、反対方向に前記膜状部の他端側を引張ることで、前記膜状部をノズル形成面に押圧することを特徴とする請求項５に記載のメンテナンス装置。
【請求項９】
待機時に於ける前記膜状部は、そのノズル形成面と対向する面が互いに向かい合うように折り畳まれていることを特徴とする請求項１に記載のメンテナンス装置。
【請求項１０】
待機時に於ける前記膜状部は、巻回されていることを特徴とする請求項１に記載のメンテナンス装置。
【発明の詳細な説明】
【技術分野】
【０００１】
本発明はメンテナンス装置に関し、より詳細には、インクジェット記録装置の記録ヘッドのノズルプレートを清掃するワイピング機構及びキャッピング機構を装備するインクジェット記録装置のメンテナンス装置に関するものである。
【背景技術】
【０００２】
一般的に普及しているインクジェット記録装置は、記録ヘッドのメンテナンス系を有しており、記録ヘッドのノズルプレートに付着するインクや塵挨を除去することが必須となっている。これは、インクを選択的に噴射して画像を形成するノズル周囲に、インク滴や塵挨が付着していると、噴射したインクが、ノズルから記録メディアに向かって真っ直ぐに飛翔せず、曲がってしまう。そのため、画像に乱れが生じて印刷品質を損なってしまうことがある。
【０００３】
また、ノズルプレートを開放状態にしていると、記録ヘッド周囲に飛散している紙粉等の塵挨が付着したり、ノズルプレート表面に残留しているインクの溶剤成分が蒸発して、ノズルプレート上にインクが乾燥固着したりすることがある。このような現象により、同様にインク滴の飛期に影響を及ぼして、やはり印刷品質を低下させてしまうことがある。
【０００４】
こうした画像品質の低下を防止するために、記録動作の前後や合間に、ノズルプレートをワイパブレードで拭うことにより、インク液滴や塵挨を除去することが行われている。このワイパブレードは、通常、ゴム等の柔軟性のある剛体をノズルプレートに密着させながら移動させることで、インク液滴、塵挨等の除去をすることができるようにしている。
【０００５】
また、ノズルプレートをキャップで密閉することにより、インク溶剤の蒸発や塵挨の付着を防止することが行われている。通常、キャップ部材は、ゴム等の柔軟性のある凹形状部材をノズルプレート若しくはその周辺部に密着させることで、ノズルプレートを密閉するものである。
【０００６】
例えば、下記特許文献１には、ワイプ部材とは別体であって、巻取り装置からフィルム状部材を引き出しながら、記録ヘッドにフィルム状部材を別の押付部材によって押付ながら付着させてキャッピングする旨が記載されている。
【０００７】
また、下記特許文献２には、無端ベルト内に記録ヘッドが配置され、無端ベルト内周に、クリーニング部、キャップ部と、記録ヘッドに対応した開口部を一体的に配置してあり、これらがベルトの回動に伴ってクリーニングやキャップを行い、印字時には開口部からインク滴の吐出を行う旨が記載されている。
【０００８】
更に、下記特許文献３には、清掃部材とキャップ部とが着脱自在に構成され、更に一体的に構成されており、それらの交換が簡便にできる旨が記載されている。
【先行技術文献】
【特許文献】
【０００９】
【特許文献１】特開２００８−２５４２３５号公報
【特許文献２】特開２００７−１６８３５８号公報
【特許文献３】特開平２−１０６３５３号公報
【発明の概要】
【発明が解決しようとする課題】
【００１０】
しかしながら、前述した特許文献１に記載されている構成は、ワイパブレード、吸引部材、フィルム状キャップ部材がそれぞれ別体となっている。これにより、クリーニング機構が占める面積が非常に大きく、フィルム部材の巻取り機構等があるにもかかわらず、装置が大型化してしまう。また、フィルム状部材の巻取り機構や押付機構も必須であり、装置が複雑化してしまう課題も有している。
【００１１】
また、前述した特許文献２に記載されている構成は、無端ベルト内にクリーニング機構を内蔵している構成であり、記録ヘッド長さ分のワイプ移動距離、キャップ長さ分の距離、記録ヘッド長さ分以上の開口長さが必要となり、無端ベルトの長さもそれなりの長さが必要である。このため、装置も大型化せざるを得ない。更に、クリーニング装置それぞれの交換もベルトをいちいち外す必要があると思われ、作業時間がかかる等の課題を有している。
【００１２】
更に、前記特許文献３に記載されている構成は、キャップとクリーニングブレードを一体化することでクリーニング機構の交換を簡単にしている。しかしながら、構造的に長尺ヘッドには適用が難しいとの課題を有している。
【００１３】
したがって本発明は前記実情に鑑みてなされたものであり、その目的は、ワイパブレードとキャップ部を一体的に構成し、折り畳まれたフィルム状であることから、長尺ヘッドに於いてもクリーニング機構の占有面積が少なく、且つ、キャップ機構も効果的に作用することができるメンテナンス装置を提供することである。
【課題を解決するための手段】
【００１４】
すなわち本発明は、インクジェットヘッドのノズル形成面上を払拭するメンテナンス装置に於いて、その先端でもってノズル形成面に当接し、該ノズル形成面に沿って移動してノズル形成面上を払拭するブレード部と、その一端が前記ブレード部と一体的に形成され、他端が固定部に固定され、前記ブレード部の厚さよりも薄い可撓性を有し、前記ノズル形成面全体を覆う膜状部と、を具備することを特徴とする。
【発明の効果】
【００１５】
本発明によれば、ワイパブレードとキャップ部を一体的に構成し、クリーニングブレードの動作に従って、折り畳まれたフィルム状キャップを順次ノズルプレートに広げることにより、簡単な構造で、確実にノズルプレート部位に対してフィルム状キャップ部を当接させることで、長尺ヘッドであっても、クリーニング機構が占める面積が少なく装置を小型化することができるメンテナンス装置を提供することができる。
【図面の簡単な説明】
【００１６】
【図１】本発明の第１の実施形態に係るインクジェット記録装置に於けるヘッド機構１０及びクリーニング機構２０の概略構成を側面から見たもので、（ａ）は印字動作中若しくはクリーニング機構２０の待機中の状態を示した模式図、（ｂ）はクリーニング機構２０が動作（ワイプ動作）を開始した状態を示した模式図、（ｃ）はクリーニング動作（ワイプ動作）中を示した模式図、（ｄ）はクリーニング動作（ワイプ動作）が終了した状態を示した模式図、（ｅ）はキャップしている状態（キャッピング状態）を示した模式図である。
【図２】本発明の第２の実施形態に係る図示されないインクジェット記録装置に於けるヘッド機構１０及びクリーニング機構２０の概略構成を示したもので、（ａ）は側面から観た模式図、（ｂ）は印字動作中、若しくはクリーニング機構２０の待機中の（ａ）のヘッド機構１０及びクリーニング機構２０を下方から見た模式図、（ｃ）はワイプ動作終了後の（ａ）のヘッド機構１０及びクリーニング機構２０を下方から見た模式図である。
【図３】本発明の第２の実施形態の変形例に係るインクジェット記録装置に於けるヘッド機構１０及びクリーニング機構２０の概略構成を示したもので、（ａ）は印字動作中、若しくはクリーニング機構２０の待機中のヘッド機構１０及びクリーニング機構２０を下方から見た模式図、（ｂ）はワイプ動作終了後の（ａ）のヘッド機構１０及びクリーニング機構２０を側面から見た模式図である。
【図４】本発明の第３の実施形態に係るインクジェット記録装置のヘッド機構１０及びクリーニング機構２０1 の概略構成を示したもので、（ａ）はクリーニング動作（ワイプ動作）中のヘッド機構１０及びクリーニング機構２０1 を側面から見た模式図、（ｂ）はキャッピング状態のヘッド機構１０及びクリーニング機構２０1 を側面から見た模式図である。
【図５】この第４の実施形態に係るインクジェット記録装置のヘッド機構１０及びクリーニング機構２０の概略構成を示したもので、（ａ）はクリーニング動作（ワイプ動作）開始時のヘッド機構１０及びクリーニング機構２０を側面から見た模式図、（ｂ）はキャッピング状態に入る前のヘッド機構１０及びクリーニング機構２０を側面から見た模式図、（ｃ）はキャッピング状態のヘッド機構１０及びクリーニング機構２０を側面から見た模式図である。
【図６】本発明の第５の実施形態に係るインクジェット記録装置のヘッド機構１０及びクリーニング機構２０の概略構成を示したもので、側面から見た模式図である。
【図７】本発明の第６の実施形態に係るインクジェット記録装置のヘッド機構１０及びクリーニング機構２０の概略構成を示したもので、ワイプ動作が終了し、キャップ２２がノズルプレート１２と密着する直前の状態を示す、側面から見た模式図である。
【図８】本発明の第７の実施形態に係るインクジェット記録装置のヘッド機構１０3 及びクリーニング機構２０2 の概略構成を示したもので、側面から見た模式図である。
【図９】本発明の第８の実施形態に係るインクジェット記録装置のヘッド機構１０3 及びクリーニング機構２０3 の概略構成を示したもので、側面から見た模式図である。
【図１０】本発明の第９の実施形態に係るインクジェット記録装置のヘッド機構１０3 及びクリーニング機構２０4 の概略構成を示したもので、側面から見た模式図である。
【発明を実施するための形態】
【００１７】
以下、図面を参照して本発明の実施形態について説明する。
【００１８】
（第１の実施形態）
初めに、本発明の第１の実施形態について説明する。
【００１９】
図１は本発明の第１の実施形態に係る図示されないインクジェット記録装置に於けるヘッド機構１０及びクリーニング機構２０の概略構成を側面から観た模式図である。
【００２０】
尚、本実施形態に於いては、通常の画像形成装置の構成部、すなわち、インクジェット記録装置本体、記録媒体の供給機構、搬送機構、排出機構、画像処理部、制御部、及び他のメンテナンス機構等、は通常の画像形成装置と同じものが搭載されているものとして、その図示及び説明は省略し、本発明の特微部分であるクリーニング機構２０と、該クリーニング機構２０に関わるヘッド機構１０について、図面を参照して説明する。
【００２１】
本実施形態のインクジェット記録装置に於けるヘッド機構１０は、ピエゾタイプ、若しくはヒータの発熱によるサーマルタイプの何れでも良い。
【００２２】
前記ヘッド機構１０の形状は、例えば、図示されない記録媒体の走行方向と直交する方向（幅方向）に於いて、その記録媒体の幅以上の長さを有している。そして、このヘッド機構１０は、図示されない画像形成装置のフレーム等に固定され、搬送されてノズル前方を通過する記録媒体に、インクを吐出して画像を形成する。
【００２３】
また、記録媒体の幅よりは短い短尺記録ヘッドを複数繋ぎ合わせて、記録媒体の幅以上の長さになるように配列しても良い。
【００２４】
そして、ヘッド機構１０は、その先端部分にインクジェットヘッドのノズルプレート１２が形成されている記録ヘッド１１と、該記録ヘッド１１を支持するヘッドサポート部１３とを有して構成されている。記録ヘッド１１は、前記ノズルプレートに形成されているノズル孔（図示せず）からインク滴を吐出することにより、記録媒体に対して画像を形成する。
【００２５】
尚、この記録ヘッド１１は、固定ヘッドに限定されるものではなく、少量のインクを収納するインクタンクを着脱可能に搭載し、または、インクの充填可能な機能を有するインク室を搭載して、走査移動する走査型記録ヘッドでも適用することも可能である。
【００２６】
前記クリーニング機構２０は、ブレード２１と、該ブレード２１と一体的に構成されるキャップ２２と、該キャップ２２を固定するキャップ固定部２３とから構成される。
【００２７】
前記ブレード２１は、その先端でもって前記ノズルプレート１２の図示されないノズル形成面（ノズル孔）に当接し、該ノズル形成面上を払拭する。このブレード２１は、ゴム等の弾性材料で構成されるもので、それと一体的に構成されるキャップ２２も同一材料であって、下記のような材料のものが代表的である。或いは、その他、インクとの接液適性が確認できていれば、下記または、それ以外の材料でも使用可能である。
【００２８】
シリコンゴム  
ネオプレンブチルゴム  
ポリウレタン  
ポリエチレン  
ク口口プレンゴム  
天然ゴム  
エチレン・プ口ピレン（ＥＰＤＭ）ゴム  
ニトリルゴム  
ブチルゴム  
フッ素ゴム  
シリコンゴム  
ＥＶＡゴム（エチレン酢酸ビ二ル共重合体）
また、ゴム硬度は、ヘッド機構１０、クリーニング機構２０の構成によって設定されるが、通常は８０°以下、好適には５０°以下程度である。
【００２９】
キャップ２２は、その一端がブレード２１と一体成形されているもので、本実施形態に於いては、ブレード２１の先端部、若しくは先端部近傍から延在されている。キャップ２２の他端は、例えば、ヘッドサポート部１３の端部となるキャップ固定部２３と係合している。そして、記録ヘッド１１の印字動作時には、ブレード２１は記録ヘッド１１近傍、若しくは図示されない待機部にあり、フィルム状のキャップ（膜状部）２２は自然と折り畳まれて僅かなスペース内に収まっている。尚、このフィルム状のキャップ２２の厚みは、ゴム材質にもよるが、１ｍｍ以下、好適には０．１ｍｍ以下であって、ブレード２１の厚さよりも薄い可撓性を有している。
【００３０】
次に、図１（ａ）〜（ｅ）を参照して、このように構成されたクリーニング機構２０の動作について説明する。尚、このクリーニング機構２０の動作は、図示されない駆動機構によって行われる。
【００３１】
図１（ａ）は、印字動作中、若しくはクリーニング機構２０の待機中の状態を示している。この状態では、クリーニング機構２０は、ヘッドサポート部１３のキャップ固定部２３が設けられている側（始端部）で静止している。また、キャップ２２は、図示の如く折り畳まれているため、ノズルプレート１２との接触面は露出していない状態である。
【００３２】
次に、図１（ｂ）は、クリーニング機構２０が動作（ワイプ動作）を開始した状態を示している。この状態では、ブレード２１が図示矢印Ａ方向に移動して、図１（ａ）に示される待機位置から離れて、ノズルプレート１２のノズル形成面の一端に位置している。そして、記録ヘッド１１に設定されたラップ量で、記録ヘッド１１に設けられたノズルプレート１２との接触を開始している。キャップ２２は、ブレード２１の動作に連れて、折り畳まれた状態から除々に広がっていく。
【００３３】
図１（ｃ）は、クリーニング動作（ワイプ動作）中を示している。この状態では、ブレード２１がワイプ動作するに従い、キャップ２２が、前記ノズルプレート１２の下方を次第に覆っていく。
【００３４】
図１（ｄ）は、クリーニング動作（ワイプ動作）が終了した状態を示している。これは、ブレード２１はノズルプレート１２のノズル形成面の他端を通り過ぎた状態であり、キャップ２２は広がってノズルプレート１２全体を覆っている。
【００３５】
図１（ｅ）は、キャップしている状態（キャッピング状態）を示している。これは、ブレード２１は移動動作の終端部、すなわち、ヘッドサポート部１３の終端部までワイプ動作を終了し、キャップ２２が適度な張力でノズルプレート１２を覆っている状態である。これにより、キャップ２２は、ノズルプレート１２と密着し、図示されないノズル部を密閉している。
【００３６】
クリーニング動作は、これら図１（ａ）〜（ｅ）に示される動作を繰り返すことで行われる。尚、単にワイプ動作だけ必要な場合には、図１（ｄ）に示される状態から図１（ａ）に示される状態へ戻ることで可能となる。
【００３７】
また、インクジェット記録装置が印刷を終了した場合には、図１（ｅ）に示される状態で停止している。
【００３８】
このように、第１の実施形態によれば、キャップ２２に対しての駆動機構や収納機構を有しておらず、図１（ａ）に示される印字動作中では、非常に小さく収めることができ、インクジェット記録装置に於いて、クリーニング機構２０の占める容量を非常に小さくすることができる。また、図１（ｅ）に示されるように、キャップ２２がキャッピング状態に於いても、その支持部材や動作部材を有していないため、やはりスペースはごく小さく収めることができる。
【００３９】
更に、待機状態のキャップ２２は、ノズル形成面と対向する面を、互いに向かい合うように内側に折り畳んでいるため、塵埃等が入りにくくなっている。
【００４０】
（第２の実施形態）
次に、本発明の第２の実施形態について説明する。
【００４１】
図２は本発明の第２の実施形態に係る図示されないインクジェット記録装置に於けるヘッド機構１０及びクリーニング機構２０の概略構成を示したもので、（ａ）は側面から観た模式図、（ｂ）は印字動作中、若しくはクリーニング機構２０の待機中の（ａ）のヘッド機構１０及びクリーニング機構２０を下方から見た模式図、（ｃ）はワイプ動作終了後の（ａ）のヘッド機構１０及びクリーニング機構２０を下方から見た模式図である。
【００４２】
本第２の実施形態に於いて、前述した第１の実施形態と異なるのは、ヘッドサポート部１３1 の形状であり、キャップ２２と対向する面に凸部を設けた点が異なっている。その他の点のヘッド機構１０1 及びクリーニング機構２０の構成については、前述した第１の実施形態と同様な構成をしているため、異なる部分のみ説明し、その他の部分については説明を省略する。
【００４３】
図２（ａ）に示されるように、本第２の実施形態に於けるヘッド機構１０1 のヘッドサポート部１３1 は、キャップ２２と対向する面（下端部）の周囲部分に、凸部１３ａが形成されている。すなわち、キャッピング状態に於いて、キャップ２２とヘッドサポート部１３1 の凸部１３ａの下面とが接触しており、ノズルプレート１２とキャップ２２との間に間隙を有するように、ヘッドサポート部１３1 が形成されている。尚、前記凸部１３ａと記録ヘッド１１との間には、凹部１３ｂが設けられている。
【００４４】
印字動作中、若しくはブレード２１が待機中の状態は、図２（ｂ）に示されるような位置にクリーニング機構２０が位置している。ヘッドサボート部１３の下端部に形成された凸部１３ａは、記録ヘッド１１を囲うように構成されている。また、ブレード２１は、記録ヘッド１１のノズルプレート１２面を払拭できる幅となっており、キャップ２２はヘッドサポート部１３をカバーできる幅となっている。
【００４５】
図２（ｃ）は、ワイプ動作が終了し、キャッピング状態を示したものであって、（ａ）の状態と同じである。キャップ２２はヘッドサポート部１３の凸部１３ａと当接しているので、ヘッドサポート部１３内部を密閉状態に保っている。
【００４６】
前述した印字動作中、若しくはブレード２１が待機中の状態、及びキャッピング状態以外のワイプ動作中は、前述した第１の実施形態と同様であるので、ここでの説明は省略する。
【００４７】
このように、第２の実施形態に於いては、ノズルプレート１２とキャップ２２とは離間している。前述した第１の実施形態（図１（ｅ）参照）のように、ノズルプレート１２とキャップ２２が接触していると、記録ヘッド１１とキャップ２２の構成によっては、毛管現象により、インクがにじみ出てくる場合もあるが、本第２の実施形態のように構成すれば、このインクのにじみを避けることができる。インクがにじみ出てくると、揮発性のインクの場合、溶剤の蒸発によってインク粘度が高まり、キャップ２２とノズルプレート１２が剥れにくくなること等が考えられるので、こうした場合に、本第２の実施形態は有効である。
【００４８】
尚、前述した第２の実施形態に於いては、ヘッドサポート部１３の下端部の凸部１３ａは、その最外周部に形成された例で説明したが、これに限られるものではない。キャッピング状態に於いて、ノズルプレート１２とキャップ２２とが離間して、キャップ２２がヘッドサポート部１３内部を密閉状態に保持するものであれば、例えば、ヘッドサポート部１３の下端部で記録ヘッド１１の近傍に形成されるものであっても良い。
【００４９】
また、前述した第１の実施形態と同様に、キャップ２２がキャッピング状態に於いても、その支持部材や動作部材を有していないため、スペースはごく小さく収めることができる。更に、待機状態のキャップ２２は、ノズル形成面と対向する面を、互いに向かい合うように内側に折り畳んでいるため、塵埃等が入りにくいという効果がある。
【００５０】
（第２の実施形態の変形例）
次に、本発明の第２の実施形態の変形例について説明する。
【００５１】
図３は本発明の第２の実施形態の変形例に係るインクジェット記録装置に於けるヘッド機構１０及びクリーニング機構２０の概略構成を示したもので、（ａ）は印字動作中、若しくはクリーニング機構２０の待機中のヘッド機構１０及びクリーニング機構２０を下方から見た模式図、（ｂ）はワイプ動作終了後の（ａ）のヘッド機構１０及びクリーニング機構２０を側面から見た模式図である。
【００５２】
本第２の実施形態の変形例に於けるヘッド機構１０2 の構成は、図２に示されるヘッド機構１０1 の凸部１３ａの下端部にリブ１３ｃが設けられている点が、前述した第２の実施形態と異なっている。この場合、リブ１３ｃは、凸部１３ａの下端部で、且つ、最内側に設けられている。その他の部分の構成、及びワイプ動作については、前述した第２の実施形態と同様であるので、ここでは説明は省略する。
【００５３】
このように、第２の実施形態の変形例によれば、リブ１３ｃが設けられたことによって、キャップ２２との密着性がより高くなり、従ってキャップ２２の密閉性を高めることができる。
【００５４】
尚、本変形例に於いては、リブ１３ｃは凸部１３ａの下端部で、且つ、最内側に設けられているとしたが、これに限られるものではなく、凸部１３ａの下端部で凸部１３ａの面と高さが異なるようにしてキャップ２２との密着性が得られれば良い。
【００５５】
（第３の実施形態）
次に、本発明の第３の実施形態について説明する。
【００５６】
図４は、本発明の第３の実施形態に係るインクジェット記録装置のヘッド機構１０及びクリーニング機構２０1 の概略構成を示したもので、（ａ）はクリーニング動作（ワイプ動作）中のヘッド機構１０及びクリーニング機構２０1 を側面から見た模式図、（ｂ）はキャッピング状態のヘッド機構１０及びクリーニング機構２０1 を側面から見た模式図である。
【００５７】
本第３の実施形態に於いては、ヘッド機構１０とクリーニング機構２０1 との配置等は、図１に示される前述した第１の実施形態と概ね同一であり、その説明は省略するが、クリーニング機構２０1 の構成が異なり、より詳細に説明する。
【００５８】
ブレード２１を支持するブレード支持部材２５は、図１では省略されていた保持部である。また、本第３の実施形態に於いては、キャップ支持部材２６が付加されている。このキャップ支持部材２６は、キャップ２２の所定箇所２２ａに付勢されているもので、キャップ支持部材軸２７を中心として回動可能になっている。また、キャップ支持部材２６とキャップ支持部材テンショナ２８は、テンショナ軸２９を介して結合されており、キャップ支持部材２６は、張力付与手段であるキャップ支持部材テンショナ２８によって一定方向に付勢されている。更に、付勢はガイド部材３０により、ブレード２１の位置による付勢の規制がなされている。
【００５９】
ブレード支持部材２５は、前記ガイド部材３０と略平行に延在された送りネジ部材３１に係合する。この送りネジ部材３１が、図示されないモータ及びギア等の駆動機構によって、例えば図示矢印Ｂ方向に回転することによって、ブレード支持部材２５が図示矢印Ａ方向に移動する。すると、この移動に伴って、ワイプ動作が行われる。移動時は、ガイド部材３０によって、キャップ２２は送りネジ部材３１等に接触しない程度の位置に概ね保持されている。
【００６０】
そして、図４（ｂ）に示されるように、ブレード２１がワイプ動作を終了し、キャップ２２がキャッピングする位置に到達する。このキャッピング位置に到達する直前で、キャップ支持部材２６がガイド部材３０の斜辺部３０ａに達する。すると、テンショナ軸２９が斜辺３０ａに沿って移動することにより、キャップ支持部材軸２７を中心に、キャップ支持部材テンショナ２６が、図示矢印Ｃ方向に回転し、キャップ支持部材２６を立ち上げる方向に付勢する。この動作により、キャップ２２の所定箇所２２ａが同図に於いて上側に付勢される。つまり、キャップ２２は、ノズル形成面に付着する面とは反対側から押圧される。このとき、ブレード２１及びブレード支持部材２５の高さは、ワイプ動作中と同じである。
【００６１】
このように、第３の実施形態では、ブレード２１の側端部（所定箇所２２ａ）を上側に付勢することで、キャップ２２に張力を与え、ノズルプレート１２に対してより密着性を高めることができる。
【００６２】
更に、待機状態のキャップ２２は、ノズル形成面と対向する面を、互いに向かい合うように内側に折り畳んでいるため、塵埃等が入りにくいという効果がある。
【００６３】
（第４の実施形態）
次に、本発明の第４の実施形態について説明する。
【００６４】
図５はこの第４の実施形態に係るインクジェット記録装置のヘッド機構１０及びクリーニング機構２０の概略構成を示したもので、（ａ）はクリーニング動作（ワイプ動作）開始時のヘッド機構１０及びクリーニング機構２０を側面から見た模式図、（ｂ）はキャッピング状態に入る前のヘッド機構１０及びクリーニング機構２０を側面から見た模式図、（ｃ）はキャッピング状態のヘッド機構１０及びクリーニング機構２０を側面から見た模式図である。
【００６５】
本第４の実施形態に於いては、ヘッド機構１０とクリーニング機構２０との配置等は、図１に示される前述した第１の実施形態と概ね同一であり、その説明は省略するが、キャッピング状態のブレード２１の位置が異なっている。
【００６６】
図５（ａ）に示されるワイプ動作開始から、図示矢印Ａ方向にブレード２１が移動する。そして、ワイプ動作完了時は、図５（ｂ）に示されるように、キャップ２２はノズルプレート１２と密着状態になく、空隙が生じているものとする。
【００６７】
この場合、図５（ｃ）に示されるように、張力付与手段としての上下方向駆動機構（図示せず）により、ブレード２１を図示矢印Ｄ方向に移動させる。つまり、ブレード２１の水平移動だけではキャップ２２がノズルプレート１２と密着しない場合は、ブレード２１をワイプ方向だけでなく、ワイプ終了位置よりも上方に移動させることで、キャップ２２とノズルプレート１２とを密着させることができる。
【００６８】
このように、第４の実施形態によれば、ワイプ時のブレード２１に不必要な付勢が働かず、より精密な当接力の調整が可能となる。
【００６９】
また、前述した第１の実施形態と同様に、キャップ２２がキャッピング状態に於いても、その支持部材や動作部材を有していないため、スペースはごく小さく収めることができる。更に、待機状態のキャップ２２は、ノズル形成面と対向する面を、互いに向かい合うように内側に折り畳んでいるため、塵埃等が入りにくいという効果がある。
【００７０】
（第５の実施形態）
次に、本発明の第５の実施形態について説明する。
【００７１】
図６は、本発明の第５の実施形態に係るインクジェット記録装置のヘッド機構１０及びクリーニング機構２０の概略構成を示したもので、側面から見た模式図である。
【００７２】
本第５の実施形態に於いては、ヘッド機構１０とクリーニング機構２０の構成及び動作等は、図１に示される前述した第１の実施形態と概ね同一であり、その説明は省略するが、インクタンク及びインク経路が追加されている点が異なり、この点について詳細に説明する。
【００７３】
図示されないが、印字動作中、若しくはクリーニング機構２０の待機中であって、キャップ２２が収納されている状態の時には、インク４２を収容したインクタンクはインクタンク４０1 の位置にあり、適正水頭値４３1 を発生する状態となっている。インク４２は、この位置から、図６に於いて破線で示されるインク経路４１1 を介して、記録ヘッド１１に供給される。
【００７４】
そして、図６に示されるように、キャップ２２がノズルプレート１２を密閉状態にしている（キャッピング状態）時には、インクタンクは図示矢印Ｅ方向に下降させて、インクタンク４０2 の位置に移動させる。これにより、記録ヘッド１１のノズルに於ける水頭値（４３2 ）を、より負方向に大きくなるようにしている。
【００７５】
この操作によって毛管力に対する水頭値差を大きくして、図示されないノズルからのインクの漏れを防止し、ノズルプレート１２とキャップ２２からのインクの染み出しを防止することができる。
【００７６】
インク経路はインクタンクの移動動作と共に経路長が異なり、インク経路４１2 となるが、その構成はインクチューブ長に余裕を持つ等の方法で良い。
【００７７】
（第６の実施形態）
次に、本発明の第６の実施形態について説明する。
【００７８】
図７は、本発明の第６の実施形態に係るインクジェット記録装置のヘッド機構１０及びクリーニング機構２０の概略構成を示したもので、ワイプ動作が終了し、キャップ２２がノズルプレート１２と密着する直前の状態を示す、側面から見た模式図である。
【００７９】
この第６の実施形態に於けるヘッド機構１０とクリーニング機構２０の構成は、図１に示される前述した第１の実施形態と概ね同一であるので、ここでの説明は省略する。
【００８０】
図７に示されるように、ワイプ動作が終了し、キャップ２２がノズルプレート１２と密着する直前で、ブレード２１の動作を停止し、記録ヘッド１１内を加圧してパージ動作を行う。すると、記録ヘッド１１から滴下したインク滴４６は、キャップ２２上に垂れて、キャップ２２に付着した塵挨と共に流れ落ちる。これを入れることにより、キャップ２２がノズルプレート１２に密着しても、ノズルプレート１２に塵挨を付着させることなくキャッピングが可能である。これにより、図示されないノズルからインク経路内に塵挨が混入することを防止することができる。
【００８１】
（第７の実施形態）
次に、本発明の第７の実施形態について説明する。
【００８２】
図８は、本発明の第７の実施形態に係るインクジェット記録装置のヘッド機構１０3 及びクリーニング機構２０2 の概略構成を示したもので、側面から見た模式図である。
【００８３】
ヘッドサポート部１３3 は記録ヘッド１１を保持しているが、ブレード１２の進行方向と逆側に、段差部１３ｄを形成している。そして、この段差部１３ｄに、後述するリール４８を収納するためのリールベース４９が設置されている。更に、このリールベース４９には、キャップ２２を収納する巻取り機構であって、張力付与手段としてのリール４８が取り付けられている。尚、このリール４８は、図示されない駆動機構等によって駆動される。
【００８４】
この第６の実施形態に於いて、前述した以外のヘッド機構１０3 とクリーニング機構２０2 の構成は、図１に示される前述した第１の実施形態と概ね同一であるので、ここでの説明は省略する。
【００８５】
このような構成に於いて、キャップ２２は、ブレード２１と一体的に構成されているため、ブレード２１のワイプ動作に連動して、図示矢印Ｆ方向に回転するリール４８から引き出されながら、図示矢印Ａ方向に移動してノズルプレート１２の下を覆っていく。このとき、キャップ２２は、リール４８によって図示矢印Ａ方向と反対方向に引張られることで、ノズルプレート１２の図示されないノズル形成面に押圧されるようになっている。
【００８６】
一方、キャップ２２が使用されない時（巻き取り時）は、図示矢印Ｆ方向と反対方向に回転するリール４８によって巻き取られるようになっている。
【００８７】
これによって、キャップ２２への塵挨の付着を防止することができ、ノズルプレート１２に塵挨を付着させることなくキャッピングが可能であり、図示されないノズルからインク経路内に塵族が混入することを防止することができる。
【００８８】
また、リール４８は巻取り機構であって、例えばバネ等を内蔵して巻取りのみを行うだけでよく、引き出しはブレード２１と一体となっているキャップ２２が自動的に引き出せるため、引き出し機構を付加することなく動作させることができる。こうした引き出し機構が不要のため、そのスペースはごく小さく収めることができる。
【００８９】
（第８の実施形態）
次に、本発明の第８の実施形態について説明する。
【００９０】
図９は、本発明の第８の実施形態に係るインクジェット記録装置のヘッド機構１０3 及びクリーニング機構２０3 の概略構成を示したもので、側面から見た模式図である。
【００９１】
ヘッドサポート部１３3 の段差部１３ｄに、リールベース４９が設置されている。また、この段差部１３ｄと記録ヘッド１１との間に、キャップクリーナ５１及び支持部を介してクリーナ押さえ５２が設置されている。
【００９２】
尚、この第８の実施形態に於いて、前述した以外のヘッド機構１０3 とクリーニング機構２０3 の構成は、図１に示される前述した第１の実施形態と概ね同一であるので、ここでの説明は省略する。
【００９３】
また、巻取り機構であり張力付与手段としてのリール４８やブレード２１等の動作に関しては、前述した第７の実施形態と同様である。
【００９４】
ブレード２１のワイプ動作時、リール４８に巻回されているキャップ２２は、ブレード２１の図示矢印Ａ方向への移動に伴って、キャップクリーナ５１とクリーナ押さえ５２の間を通り抜けて引き出される。そして、ブレード２１のワイプ動作に連動して、キャップ２２は、リール４８から引き出されながらノズルプレート１２の下を覆っていく。一方、キャップ２２が使用されない時は、リール４８に巻き取られるようになっている。
【００９５】
このように、キャップ２２は、キャップクリーナ５１とクリーナ押さえ５２の間を通り抜けることで、キャップ表面に付着した塵挨が除去される。これにより、ノズルプレート１２に塵挨を付着させることなくキャッピングが可能であり、図示されないノズルからインク経路内に塵挨が混入することを防止することができる。
【００９６】
加えて、キャップ２２がキャッピング状態に於いても、その支持部材や動作部材を有していないため、スペースはごく小さく収めることができる。
【００９７】
（第９の実施形態）
次に、本発明の第９の実施形態について説明する。
【００９８】
図１０は、本発明の第９の実施形態に係るインクジェット記録装置のヘッド機構１０3 及びクリーニング機構２０4 の概略構成を示したもので、側面から見た模式図である。
【００９９】
ヘッドサポート部１３3 の段差部１３ｄに、リールベース４９が設置されている。そして、段差部１３ｄが設けられている側の記録ヘッド１１の端部近傍には、しごきローラ５５が設置されている。
【０１００】
尚、この第８の実施形態に於いて、前述した以外のヘッド機構１０3 とクリーニング機構２０4 の構成は、図１に示される前述した第１の実施形態と概ね同一であるので、ここでの説明は省略する。
【０１０１】
また、巻取り機構であって張力付与手段としてのリール４８やブレード２１等の動作に関しては、前述した第７の実施形態と同様である。
【０１０２】
キャップ２２は、記録ヘッド１１の側面部を経由して、ノズルプレート１２をキャッピングする。ブレード２１がワイプ動作することによって、記録ヘッド１１の角部でキャップ２２がこすられて、該キャップ２２の表面に付着した塵挨等が除去される。これにより、ノズルプレート１２に塵挨を付着させることなく、キャッピングが可能であり、図示されないノズルからインク経路内に塵挨が混入することを防止することができる。
【０１０３】
加えて、キャップ２２がキャッピング状態に於いても、その支持部材や動作部材を有していないため、スペースはごく小さく収めることができる。
【０１０４】
尚、前述した実施形態では、キャップ２２は、ブレード２１の先端部、若しくは先端部近傍から延在されたようにして一体成形されるとしたが、これに限られるものではなく、例えば、ブレード２１の下端であっても良い。
【０１０５】
更に、本発明の実施形態は、インクジェット記録装置に適用した例を説明したが、これに限られるものではなく、画像形成装置等、本メンテナンス装置が適用されるものであれば、これらに限られるものではない。
【０１０６】
以上、本発明の実施形態について説明したが、本発明は上述した実施形態以外にも、本発明の要旨を逸脱しない範囲で種々の変形実施が可能である。
【０１０７】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【産業上の利用可能性】
【０１０８】
本発明によれば、ワイパブレードとキャップ部を一体的に構成し、折り畳まれたフィルム状であることから、長尺ヘッドに於いてもクリーニング機構の占有面積が少なく、且つ、キャップ機構も効果的に作用することができるメンテナンス装置が得られる。
【符号の説明】
【０１０９】
１０，１０1 ，１０2 ，１０3 …ヘッド機構、１１…記録ヘッド、１２…ノズルプレート、１３，１３1 ，１３2 ，１３3 …ヘッドサポート部、１３ａ…凸部、１３ｂ…凹部、１３ｃ…リブ、２０，２０1 ，２０2 ，２０3 ，２０4 …クリーニング機構、２１…ブレード、２２…キャップ、２３…キャップ固定部、２５…ブレード支持部材、２６…キャップ支持部材、２７…キャップ支持部材軸、２８…キャップ支持部材テンショナ、２９…テンショナ軸、３０…ガイド部材、３０ａ…斜辺部、３１…送りネジ部材、４０1 ，４０2 …インクタンク、４１1 ，４１2 …インク経路、４２…インク、４３1 ，４３2 …水頭値、４６…インク滴、４８…リール、４９…リールベース、５１…キャップクリーナ、５２…クリーナ押さえ、５５…しごきローラ。
【図１】
2010260259.tif 000003
【図２】
2010260259.tif 000004
【図３】
2010260259.tif 000005
【図４】
2010260259.tif 000006
【図５】
2010260259.tif 000007
【図６】
2010260259.tif 000008
【図７】
2010260259.tif 000009
【図８】
2010260259.tif 000010
【図９】
2010260259.tif 000011
【図１０】
2010260259.tif 000012